(57)【特許請求の範囲】
【請求項１】
画像を表示する表示部、及び該表示部に表示された画像を所定の方向に反射させるハーフミラーを備え、前記表示部がケースの底蓋に設けられるとともに、前記ハーフミラーが前記ケースの底蓋に開閉自在な上蓋に設けられたプロンプター装置において、
前記上蓋は、該上蓋が開いたときに、前記ハーフミラーによる画像の反射方向にスライド移動自在に設けられていることを特徴とするプロンプター装置。
【請求項２】
前記プロンプター装置に取り付けられるテレビカメラ用支持部材は、前記ケースの底蓋に回動自在に連結され、該支持部材が底蓋の下面に沿って折り畳み可能であることを特徴とする請求項１に記載のプロンプター装置。
【発明の詳細な説明】
【０００１】
【発明の属する技術分野】
本発明は、ニュース原稿の画像をニュースキャスターに表示するプロンプター装置に関する。
【０００２】
【従来の技術】
特開平５−１３０４６１号公報には、画像を表示する透過型液晶表示板がケースの底蓋に設けられ、この透過型液晶表示板に表示された画像を所定の方向に反射させるハーフミラーが前記ケースの上蓋に設けられたプロンプター装置が開示されている。
【０００３】
このようなプロンプター装置は、図６の如く透過型液晶表示板１が設けられたケース２の底蓋２Ａに、ハーフミラー３が設けられた上蓋２Ｂがヒンジ４を介して開閉自在に設けられている。符号５はＥＮＧカメラ、符号６は撮影レンズであり、この撮影レンズ６の前方にハーフミラー３が４５度傾斜した状態で位置決めされる。これにより、ニュースキャスターは、ハーフミラー３で反射されているニュース原稿の画像を見ながら、撮影レンズ６に向かってニュース解説を行うことができる。なお、符号７は雲台であり、雲台７に、ケース２（プロンプター装置）とＥＮＧカメラ５とを支持する支持部材８が着脱自在に設置されている。
【０００４】
ところで、屋外の取材用で使用されるプロンプターシステムは、短時間のうちに取材現場を頻繁に変更する場合があるので、このような使途のプロンプターシステムでは、携帯性を考慮して肩乗せ可能なテレビカメラであるＥＮＧカメラ５が適用されている。
【０００５】
かかるプロンプターシステムによれば、取材現場を変更する場合、ＥＮＧカメラ５を支持部材８から取り外した後、支持部材８を雲台７から取り外し、これにより、プロンプターシステムをＥＮＧカメラ５、支持部材８が取り付けられたプロンプター装置（ケース２）、及び雲台７が設けられた三脚に三分割して、次の取材現場に持ち運んでいた。
【０００６】
【発明が解決しようとする課題】
しかしながら、図６に示した従来のプロンプター装置は、撮影レンズ６の画角を図６上二点鎖線で示すワイド側に変更すると、その撮影画面の下部にケース２の底蓋２Ａが入るので、ニュースキャスター（被写体）を完全に撮影することができない、というけられの問題があった。
【０００７】
また、従来のプロンプター装置は、長尺状の支持部材８が突出して設けられているので、持ち運び難いという欠点があった。
【０００８】
本発明はこのような事情に鑑みてなされたもので、けられの問題を解消することができるプロンプター装置を提供することを目的とする。
【０００９】
【課題を解決するための手段】
本発明は、前記目的を達成するために、画像を表示する表示部、及び該表示部に表示された画像を所定の方向に反射させるハーフミラーを備え、前記表示部がケースの底蓋に設けられるとともに、前記ハーフミラーが前記ケースの底蓋に開閉自在な上蓋に設けられたプロンプター装置において、前記上蓋は、該上蓋が開いたときに、前記ハーフミラーによる画像の反射方向にスライド移動自在に設けられていることを特徴とする。
【００１０】
本発明によれば、ハーフミラーが設けられているケースの上蓋が、表示部が設けられているケースの底蓋に対して、ハーフミラーによる画像の反射方向にスライド移動自在に設けられているので、撮影画面の下部にケースの底蓋が入らないように、上蓋を前記反射方向にスライド移動させる。これにより、被写体からの光線はケースの底蓋にけられないので、けられの問題を解消できる。よって、被写体を完全に撮影することができる。
【００１１】
一方、本発明のプロンプター装置を持ち運ぶ場合には、使用位置に位置しているテレビカメラ用支持部材をケースの底蓋に対して回動し、支持部材を底蓋の下面に沿って折り畳む。これにより、プロンプター装置はコンパクトになり、重量バランスもよくなるので、持ち運びが容易になる。
【００１２】
【発明の実施の形態】
以下添付図面に従って本発明に係るプロンプター装置の好ましい実施の形態について詳説する。
【００１３】
図１に示すプロンプター装置１０は、底蓋１２と上蓋１４とによってケースの如く構成されている。底蓋１２には、図１上破線で示す透過型液晶パネル１６が設けられ、この液晶パネル１６は、底蓋１２の上面開口部に表示面を上方に向けて固定されている。また、底蓋１２の側面には、持ち運び用の把手１８が固定されるとともに、底蓋１２の下面には、ケースとなったプロンプター装置１０を載置して保管するための２本の脚部１３、１３（図１では１本の脚部のみ図示）が取り付けられている。
【００１４】
上蓋１４には、図１上破線で示すハーフミラー２０が設けられている。また、上蓋１４は、上蓋１４の両側に設けられたヒンジ２２を介して底蓋１２に開閉自在に設けられ、図２〜図５の如く上蓋１４が閉じられると、底蓋１２の上面を完全に閉じることができる大きさに形成されている。更に、上蓋１４は、図１の角度調整機構２４によって、その開放角度が水平方向に対し、４５度に設定されている。
【００１５】
角度調整機構２４は、底蓋１２に回動自在に連結されたアーム２６、上蓋１４に回動自在に連結されたアーム２８、アーム２６の上端とアーム２８の下端とを回動自在に連結する連結部３０、及び連結部３０に設けられた不図示のクリック機構から構成される。このクリック機構によって上蓋１４の開放角度が４５度に設定されている。
【００１６】
ところで、上蓋１４は、図１上矢印Ａで示すように、底蓋１２に対して水平方向にスライド移動自在に連結されている。この連結構造について説明すると、ヒンジ２２には短尺のレバー３２が回動自在に設けられ、このレバー３２の下端部には、図１上破線で示すガイドローラ３４が回動自在に設けられている。このガイドローラ３４は、底蓋１２の内側面に形成された逆Ｌ字状の溝３６に走行移動自在に係合されている。
【００１７】
したがって、前記連結構造によれば、図１の状態から上蓋１４を閉じていくと、前記角度調整機構２４のアーム折り畳み作用と相まって、ガイドローラ３４が溝３６の水平部分を図１上右方向に走行移動していく。これにより、上蓋１４が右方向にスライド移動されながら閉じられていく。そして、ガイドローラ３４が溝３６の垂直部分を図１の下方向に移動していくと、レバー３２が上蓋１４に押されてガイドローラ３４を中心に図１上時計周り方向に回動していくので、上蓋１４の右方向移動が許容され、上蓋１４が右端位置に向けて移動していく。そして、上蓋１４が右端位置に達した時に、上蓋１４が完全に閉じられる。以上が連結構造による上蓋１４の閉成作用である。なお、上蓋１４の開放作用は、先の閉成作用の逆なので、ここではその説明を省略する。
【００１８】
このように、本実施の形態のプロンプター装置１０は、ハーフミラー２０が設けられている上蓋１４を、液晶パネル１６が設けられている底蓋１２に対して、ハーフミラー２０による画像の反射方向（図１上矢印Ａ方向）にスライド移動自在に設けたので、図１の如く上蓋１４を前方にスライドさせれば、撮影レンズの画角がワイド側であっても撮影画面の下部に底蓋１２は入らない。これにより、ニュースキャスターからの光線は底蓋１２にけられないので、けられの問題を解消できる。よって、ニュースキャスターを完全に撮影することができる。
【００１９】
ところで、前記けられの問題は、上蓋を底蓋に対して単純に開放した時に、撮影画面の下部にケースの底蓋が入らないようにすれば解消できる。しかし、この場合には、上蓋に対して底蓋を小さくする必要があるので、すなわち、図６に示す底蓋２Ａの前方張出部２Ａ´（被写体からの光線を遮る部分）分だけ底蓋２Ａを小さくする必要があるので、ケースの機能（持ち運び容易）が無くなるという問題がある。よって、本発明の如く、上蓋１４をスライド自在に設ければ、底蓋１２を小さくすることなく、すなわち、ケースの機能を維持しつつ、けられの問題を解消できる。
【００２０】
一方、プロンプター装置１０の底蓋１２には、テレビカメラ用支持部材４０が取り付けられている。この支持部材４０にＥＮＧカメラ４２がカメラ台４４を介して着脱自在に取り付けられるとともに、支持部材４０が三脚（不図示）の雲台４６上に設置され、これにより、ＥＮＧカメラ４２を備えたプロンプターシステムとして構成される。ＥＮＧカメラ４２は、下部に肩乗せ部４８が形成されたカメラ本体５０、ＥＮＧレンズ５２、及びマイク５４等から構成され、カメラ本体５０がカメラ台４４を介して支持部材４０の所定の位置に取り付けられる。なお、カメラ台４４は、例えばアリ部／アリ溝嵌合構造によって支持部材４０に連結されており、支持部材４０に対するＥＮＧカメラ４２の水平方向位置が調整可能となっている。また、カメラ台４４は、位置調整用レバー５６を締結方向に操作することにより支持部材４０に固定され、水平方向位置が位置決めされる。
【００２１】
底蓋１２の側面には、映像入力端子５８が設けられている。この映像入力端子５８は、ケーブル６０を介してカメラ本体５０の映像出力端子６２に接続されている。放送用原稿は、予めハーフミラー２０の前方に置かれ、ＥＮＧレンズ５２を介してカメラ本体５０で撮像される。そして、映像出力端子６２から放送用原稿の画像を示す映像信号が、底蓋１２に内蔵された不図示の画像処理装置に出力されて画像メモリーされ、この画像メモリーされた放送用原稿の画像が液晶パネル１６に表示される。液晶パネル１６に表示された原稿画像は、ハーフミラー２０によって図１上左側方に反射される。
【００２２】
底蓋１２には映像入力端子５８の他に、パワーソース用コネクタ、編集リモコン用コネクタ、及び電源スイッチ等が設けられている。液晶パネル１６は、前記電源スイッチをＯＮにすると、パワーソース用コネクタを介して供給される電源部からの電力によって起動される。そして、液晶パネル１６に原稿画像が表示され、そして、編集リモコン用コネクタを介して出力されるリモコン操作部からのリモコン信号によって遠隔操作される。遠隔操作の内容は、表示画像の切り換えを主としており、この遠隔操作は、原稿画像を読むニュースキャスターによって行われる。なお、符号６４は遮光布であり、この遮光布６４によって、ハーフミラー２０の背面側からの外光入射が防止されている。これにより、ハーフミラー２０に投影された原稿画像が鮮明になる。
【００２３】
次に、支持部材４０の折り畳み構造について説明する。
【００２４】
図２は、支持部材４０が使用位置に位置決めされている図であり、図３は、支持部材４０が底蓋１２の下面に向けて折り畳まれている状態を示す図、図４、図５は支持部材４０が底蓋１２の下面に折り畳まれた状態を示す図である。
【００２５】
図２、図３の如く支持部材４０は、２本のバー７０、７０を介して、直方体形状のブロック７２に連結されている。このブロック７２が、底蓋１２の側面に固定された側面Ｌ字状のフレーム７４に連結されることにより、支持部材４０がブロック７２及びフレーム７４を介して底蓋１２に連結される。
【００２６】
ブロック７２とフレーム７４とは、ブロック７２の両側面に突設されたガイドピン７６、７６がフレーム７４の両内側面に形成された垂直方向溝７８に係合されることにより連結される。また、ブロック７２は、ガイドピン７６を溝７８に沿って上下に移動させることにより、フレーム７４に対して昇降移動自在に設けられている。更に、ブロック７２の下降端の位置でブロック７２がガイドピン７６を中心に回動されることにより、支持部材４０が図３〜図５の如く底蓋１２の下面に向けて折り畳まれる。
【００２７】
また、ブロック７２の上面の両側には、図２、図３の如くガイドバー８０、８０が立設されている。このガイドバー８０は、図２に示した使用位置において、フレーム７４の上面に形成された貫通孔８２、８２に挿通されて支持されている。これにより、フレーム７４に対する支持部材４０の倒れが防止されている。また、ガイドバー８０は、支持部材４０を下降端に位置させた時に、貫通孔８２から抜ける長さに形成され、これによって、下降端に位置した支持部材４０の回動が許容されている。
【００２８】
貫通孔８２、８２の間には、ボルト８４が配置される。このボルト８４はフレーム７４に貫通して設けられるとともに、図３に示すブロック７２の上面に形成されたねじ孔８６に螺合されている。したがって、ねじ孔８６に対するボルト８４の螺合量（螺合長さ）を調節することにより、フレーム７４に対する支持部材４０の高さ位置が調整される。これによって、図１のハーフミラー２０とＥＮＧレンズ５２の相対的な高さ位置が調整される。
【００２９】
また、ボルト８４は、支持部材４０が底蓋１２の下面に沿って折り畳まれた際に、図４の如くフレーム７４にねじ込まれ、その下端部８４がブロック７２の下面７３に押し付けられる。このボルト８４の押付力によって、支持部材４０がその折り畳み位置に保持される。更に、折り畳まれた支持部材４０は、図５の如く脚部１３から下方に突出されず、プロンプター装置１０が脚部１３を介して載置保管された際に脚部１３によって保護される。
【００３０】
したがって、前記の如く構成された支持部材４０によれば、プロンプター装置１０を持ち運ぶ場合には、図２の使用位置に位置している支持部材４０を、図３〜図５の如く底蓋１２に対して回動し、支持部材４０を底蓋１２の下面に沿って折り畳む。これにより、プロンプター装置１０はコンパクトになり、重量バランスもよくなるので、持ち運びが容易になる。
【００３１】
【発明の効果】
以上説明したように本発明に係るプロンプター装置によれば、ハーフミラーが設けられたケースの上蓋を、表示部が設けられたケースの底蓋に対して、ハーフミラーによる画像の反射方向にスライド移動自在に設けたので、撮影画面の下部にケースの底蓋が入らないように、上蓋を前記反射方向にスライド移動させることができる。これにより、けられの問題を解消できるので、被写体を完全に撮影することができる。
【００３２】
また、本発明のプロンプター装置を持ち運ぶ場合には、使用位置に位置しているテレビカメラ用支持部材をケースの底蓋に対して回動し、支持部材を底蓋の下面に沿って折り畳むようにしたので、持ち運びが容易になる。
【図面の簡単な説明】
【図１】実施の形態のプロンプター装置を示す正面図
【図２】テレビカメラ用支持部材が使用位置に位置している時の斜視図
【図３】テレビカメラ用支持部材がケースの底蓋に向けて折り畳まれている状態を示す斜視図
【図４】テレビカメラ用支持部材がケースの底蓋に折り畳まれた状態を示す斜視図
【図５】テレビカメラ用支持部材がケースの底蓋に折り畳まれた状態を示す正面図
【図６】従来のプロンプター装置を示す正面図
【符号の説明】
１０…プロンプター装置、１２…底蓋、１４…上蓋、１６…液晶パネル、２０…ハーフミラー、２２…ヒンジ、２４…角度調整機構、３２…レバー、３４…ガイドローラ、４０…支持部材、４２…ＥＮＧカメラ
【図１】
0004406783.tif 000002
【図２】
0004406783.tif 000003
【図３】
0004406783.tif 000004
【図４】
0004406783.tif 000005
【図５】
0004406783.tif 000006
【図６】
0004406783.tif 000007